(57)【要約】      （修正有）【課題】浄水専用の蛇口を設けなくても浄水機能を付加することができる逆浸透膜浄水装置を提供する。【解決手段】水道管１０からの水道水を導入する導入部２１と、導入部２１から導入された水道水を浄化する浄化部２２と、浄化部２２で浄化された浄水を給水する給水部２３とを有する逆浸透膜浄水装置本体２０と、水道管１０に設けられ、水道水を蛇口１１へ流すか逆浸透膜浄水装置本体２０の導入部２１へ流すかを切換可能な導入用電磁弁３１と、導入用電磁弁３１と蛇口１１との間において水道管１０と逆浸透膜浄水装置本体２０の給水部２３との間に設けられ、給水部２３からの浄水を蛇口１１へ流すか流さないかを切換可能な浄水用電磁弁３２と、無線受信部の受信状態に応じて導入用電磁弁３１と浄水用電磁弁３２の作動を制御する制御部を有する制御手段３５と、無線受信部に向けて操作信号を送信する無線送信部３６ａを作動させる操作手段３６とを備える。【選択図】図１
0003226932.tif 000002
【実用新案登録請求の範囲】
【請求項１】
水道管（１０）と、この水道管（１０）に設けられた蛇口（１１）とを有する水道設備に設けることが可能な逆浸透膜浄水装置であって、
前記水道管（１０）からの水道水を導入する導入部（２１）と、この導入部（２１）から導入された水道水を浄化する浄化部（２２）と、この浄化部（２２）で浄化された浄水を給水する給水部（２３）とを有する逆浸透膜浄水装置本体（２０）と、
前記水道管（１０）に設けられ、水道管（１０）の水道水を前記蛇口（１１）へ流すか前記逆浸透膜浄水装置本体（２０）の導入部（２１）へ流すかを選択的に切換可能な導入用電磁弁（３１）と、
この導入用電磁弁（３１）と前記蛇口（１１）との間において、前記水道管（１０）と前記逆浸透膜浄水装置本体（２０）の給水部（２３）との間に設けられ、給水部（２３）からの浄水を前記蛇口（１１）へ流すか流さないかを選択的に切換可能な浄水用電磁弁（３２）と、
無線受信部（３５ａ）と、この無線受信部（３５ａ）の受信状態に応じて前記導入用電磁弁（３１）と浄水用電磁弁（３２）の作動を制御する制御部（３５ｂ）とを有する制御手段（３５）と、
前記無線受信部（３５ａ）に向けて操作信号（Ｓ）を送信する無線送信部（３６ａ）と、この無線送信部（３６ａ）を作動させる操作用スイッチ（３６ｂ）とを有する操作手段（３６）と、
を備えていることを特徴とする逆浸透膜浄水装置。
【請求項２】
水道管（１０）および温水管（１２）に設けられた混合栓（１３）を有する水道設備に設けることが可能な逆浸透膜浄水装置であって、
前記水道管（１０）からの水道水を導入する導入部（２１）と、この導入部（２１）から導入された水道水を浄化する浄化部（２２）と、この浄化部（２２）で浄化された浄水を給水する給水部（２３）とを有する逆浸透膜浄水装置本体（２０）と、
前記水道管（１０）に設けられ、水道管（１０）の水道水を前記混合栓（１３）へ流すか前記逆浸透膜浄水装置本体（２０）の導入部（２１）へ流すかを選択的に切換可能な導入用電磁弁（３１）と、
この導入用電磁弁（３１）と前記混合栓（１３）との間において、前記水道管（１０）と前記逆浸透膜浄水装置本体（２０）の給水部（２３）との間に設けられ、給水部（２３）からの浄水を前記混合栓（１３）へ流すか流さないかを選択的に切換可能な浄水用電磁弁（３２）と、
前記温水管（１２）に設けられ、温水管（１２）の温水を前記混合栓（１３）へ流すか流さないかを選択的に切換可能な温水用電磁弁（３３）と、
無線受信部（３５ａ）と、この無線受信部（３５ａ）の受信状態に応じて前記導入用電磁弁（３１）、浄水用電磁弁（３２）、および温水用電磁弁（３３）の作動を制御する制御部（３５ｂ）とを有する制御手段（３５）と、
前記無線受信部（３５ａ）に向けて操作信号（Ｓ）を送信する無線送信部（３６ａ）と、この無線送信部（３６ａ）を作動させる操作用スイッチ（３６ｂ）とを有する操作手段（３６）と、
を備えていることを特徴とする逆浸透膜浄水装置。
【考案の詳細な説明】
【技術分野】
【０００１】
本考案は、逆浸透膜浄水装置に関するものである。より詳しくは、蛇口又は混合栓を有する業務用又は住宅用水道設備において、浄水専用の蛇口を設けなくても、浄水機能を付加することができるようにした逆浸透膜浄水装置に関するものである。
【背景技術】
【０００２】
従来、例えば図４に示すように、
水道管１０と、この水道管１０に設けられた蛇口１１とを有する水道設備１に設けることが可能な浄水装置４であって、
水道管１０からの水道水を導入する導入部２１と、この導入部２１から導入された水道水を浄化する浄化部２２と、この浄化部２２で浄化された浄水を給水する給水部２３とを有する浄水装置本体２０と、
水道管１０に設けられ、水道管１０の水道水を蛇口１１と浄水装置本体２０の導入部２１とに流す分岐管５と、
浄水装置本体２０の給水部２３からの浄水を流すことができる浄水専用の蛇口（専用蛇口）６と、
を備えた浄水装置４が知られている。
【０００３】
しかし、このような従来の浄水装置４は、専用蛇口６を設ける必要がある。
【０００４】
そのため、専用蛇口６を取り付ける工事に手間と費用が掛かる。
例えば、流し台の天板７がステンレスや大理石である場合、専用蛇口６のための穴あけが困難である。また、賃貸物件の場合には、大家さんに許可をもらう必要もある。
【０００５】
例えば図５に示すように、水道設備１が、水道管１０および温水管１２に設けられた混合栓１３を有する場合も同様であり、専用蛇口６を取り付ける工事に手間と費用が掛かるという難点がある。
【０００６】
なお、例えば特許文献１の図２にも同様な浄水装置が記載されている。
このものも専用蛇口１１５が必要である。
【先行技術文献】
【特許文献】
【０００７】
【特許文献１】実用新案登録第3163773号号公報
【考案の概要】
【考案が解決しようとする課題】
【０００８】
本考案が解決しようとする課題は、浄水専用の蛇口を設けなくても、浄水機能を付加することができるようにした逆浸透膜浄水装置を提供することである。
【課題を解決するための手段】
【０００９】
上記課題を解決するために、本考案の逆浸透膜浄水装置は、
水道管と、この水道管に設けられた蛇口とを有する水道設備に設けることが可能な逆浸透膜浄水装置であって、
前記水道管からの水道水を導入する導入部と、この導入部から導入された水道水を浄化する浄化部と、この浄化部で浄化された浄水を給水する給水部とを有する逆浸透膜浄水装置本体と、
前記水道管に設けられ、水道管の水道水を前記蛇口へ流すか前記逆浸透膜浄水装置本体の導入部へ流すかを選択的に切換可能な導入用電磁弁と、
この導入用電磁弁と前記蛇口との間において、前記水道管と前記逆浸透膜浄水装置本体の給水部との間に設けられ、給水部からの浄水を前記蛇口へ流すか流さないかを選択的に切換可能な浄水用電磁弁と、
無線受信部と、この無線受信部の受信状態に応じて前記導入用電磁弁と浄水用電磁弁の作動を制御する制御部とを有する制御手段と、
前記無線受信部に向けて操作信号を送信する無線送信部と、この無線送信部を作動させる操作用スイッチとを有する操作手段と、
を備えていることを特徴とする。
【００１０】
この逆浸透膜浄水装置は、上記の構成となっているので、次のように作動させることができる。
操作手段の操作用スイッチを操作し、無線送信部にて、制御手段の無線受信部に向けて操作信号を送信し、制御部を作動させて、導入用電磁弁を逆浸透膜浄水装置本体の導入部側へ切り換え、浄水用電磁弁を、給水部からの浄水を前記蛇口へ流すように切り換えることで、水道水を逆浸透膜浄水装置本体にて浄水し、その浄水を既存の蛇口から流すようにすることができる。
【００１１】
一方、操作手段の操作用スイッチを操作し、無線送信部にて、制御手段の無線受信部に向けて操作信号を送信し、制御部を作動させて、導入用電磁弁を蛇口側へ切り換え、浄水用電磁弁を、給水部からの浄水を前記蛇口へ流さないように切り換えることで、水道水を、逆浸透膜浄水装置本体を通すことなく、既存の蛇口から流すようにすることができる。
【００１２】
以上のように、この浄化装置によれば、操作用スイッチを操作することで、既存の蛇口から浄水を流すことができるため、浄水専用の蛇口を設ける必要がなくなる。
すなわち、この浄化装置によれば、浄水専用の蛇口を設けなくても、浄水機能を付加することができる。
【００１３】
しかも、操作手段から制御手段への操作信号は無線でなされるから、操作手段の設置箇所に、設置用の穴等を設ける必要も無い。
【００１４】
また、上記課題を解決するために、本考案の逆浸透膜浄水装置は、
水道管および温水管に設けられた混合栓を有する水道設備に設けることが可能な逆浸透膜浄水装置であって、
前記水道管からの水道水を導入する導入部と、この導入部から導入された水道水を浄化する浄化部と、この浄化部で浄化された浄水を給水する給水部とを有する逆浸透膜浄水装置本体と、
前記水道管に設けられ、水道管の水道水を前記混合栓へ流すか前記逆浸透膜浄水装置本体の導入部へ流すかを選択的に切換可能な導入用電磁弁と、
この導入用電磁弁と前記混合栓との間において、前記水道管と前記逆浸透膜浄水装置本体の給水部との間に設けられ、給水部からの浄水を前記混合栓へ流すか流さないかを選択的に切換可能な浄水用電磁弁と、
前記温水管に設けられ、温水管の温水を前記混合栓へ流すか流さないかを選択的に切換可能な温水用電磁弁と、
無線受信部と、この無線受信部の受信状態に応じて前記導入用電磁弁、浄水用電磁弁、および温水用電磁弁の作動を制御する制御部とを有する制御手段と、
前記無線受信部に向けて操作信号を送信する無線送信部と、この無線送信部を作動させる操作用スイッチとを有する操作手段と、
を備えていることを特徴とする。
【００１５】
この逆浸透膜浄水装置は、上記の構成となっているので、次のように作動させることができる。
操作手段の操作用スイッチを操作し、無線送信部にて、制御手段の無線受信部に向けて操作信号を送信し、制御部を作動させて、導入用電磁弁を逆浸透膜浄水装置本体の導入部側へ切り換え、浄水用電磁弁を、給水部からの浄水を前記蛇口へ流すように切り換え、温水用電磁弁を、温水管の温水を前記混合栓へ流さないように切り換えることで、水道水を逆浸透膜浄水装置本体にて浄水し、その浄水を既存の混合栓から流すようにすることができる。
【００１６】
一方、操作手段の操作用スイッチを操作し、無線送信部にて、制御手段の無線受信部に向けて操作信号を送信し、制御部を作動させて、導入用電磁弁を混合栓側へ切り換え、浄水用電磁弁を、給水部からの浄水を前記蛇口へ流さないように切り換え、温水用電磁弁を、温水管の温水を前記混合栓へ流すように切り換えることで、水道水および温水を、逆浸透膜浄水装置本体を通すことなく、既存の混合栓から流すようにすることができる。
【００１７】
以上のように、この浄化装置によれば、操作用スイッチを操作することで、既存の混合栓から浄水を流すことができるため、浄水専用の蛇口を設ける必要がなくなる。
すなわち、この浄化装置によれば、浄水専用の蛇口を設けなくても、浄水機能を付加することができる。
【００１８】
しかも、操作手段から制御手段への操作信号は無線でなされるから、操作手段の設置箇所に、設置用の穴等を設ける必要も無い。
【図面の簡単な説明】
【００１９】
【図１】本考案に係る逆浸透膜浄水装置の実施の形態を示す構成図。
【図２】他の実施の形態を示す構成図。
【図３】主として制御手段３５を示すブロック図。
【図４】従来例の図。
【図５】他の従来例の図。
【考案を実施するための形態】
【００２０】
以下、本考案に係る逆浸透膜浄水装置の実施の形態について図面を参照して説明する。なお、各図において、同一部分ないし相当する部分には、同一の符号を付してある。
【００２１】
図１に示す逆浸透膜浄水装置３０は、
水道管１０と、この水道管１０に設けられた蛇口１１とを有する水道設備１に設けることが可能な逆浸透膜浄水装置であって、
水道管１０からの水道水（図示せず）を導入する導入部２１と、この導入部２１から導入された水道水を浄化する浄化部２２と、この浄化部２２で浄化された浄水（図示せず）を給水する給水部２３とを有する逆浸透膜浄水装置本体２０と、
水道管１０に設けられ、水道管１０の水道水を蛇口１１へ流すか逆浸透膜浄水装置本体２０の導入部２１へ流すかを選択的に切換可能な導入用電磁弁３１と、
この導入用電磁弁３１と蛇口１１との間において、水道管１０と逆浸透膜浄水装置本体２０の給水部２３との間に設けられ、給水部２３からの浄水を蛇口１１へ流すか流さないかを選択的に切換可能な浄水用電磁弁３２と、
制御手段３５と、操作手段３６とを備えている。
なお、矢印Ｗは、水の流れ方向を示している。
【００２２】
制御手段３５は、図３に示すように、無線受信部３５ａと、この無線受信部３５ａの受信状態に応じて導入用電磁弁３１と浄水用電磁弁３２の作動を制御する制御部３５ｂとを有している。
【００２３】
操作手段３６は、無線受信部３５ａに向けて操作信号Ｓを送信する無線送信部３６ａと、この無線送信部３６ａを作動させる操作用スイッチ３６ｂとを有している。
【００２４】
この逆浸透膜浄水装置３０は、上記の構成となっているので、次のように作動させることができる。
【００２５】
操作手段３６の操作用スイッチ３６ｂを操作し、無線送信部３６ａにて、制御手段３５の無線受信部３５ａに向けて操作信号Ｓを送信し、制御部３５ｂを作動させて、導入用電磁弁３１を「閉」として水道水の流れを逆浸透膜浄水装置本体２０の導入部２１側へ切り換え、浄水用電磁弁３２を「開」として、給水部２３からの浄水を蛇口１１へ流すように切り換えることで、水道水を逆浸透膜浄水装置本体２０（浄化部２２）にて浄水し、その浄水を既存の蛇口１１から流すようにすることができる。
【００２６】
一方、操作手段３６の操作用スイッチ３６ｂを操作し、無線送信部３６ａにて、制御手段３５の無線受信部３５ａに向けて操作信号Ｓを送信し、制御部３５ｂを作動させて、導入用電磁弁３１を「開」として、水道水の流れを蛇口１１側へ切り換え、浄水用電磁弁３２を「閉」として、給水部２３からの浄水を蛇口１１へ流さないように切り換えることで、水道水を、逆浸透膜浄水装置本体２０を通すことなく、既存の蛇口１１から流すようにすることができる。
【００２７】
以上のように、この浄化装置３０によれば、操作用スイッチ３６ｂを操作することで、既存の蛇口１１から浄水を流すことができるため、浄水専用の蛇口６（図４参照）を設ける必要がなくなる。
【００２８】
すなわち、この浄化装置３０によれば、浄水専用の蛇口を設けなくても、浄水機能を付加することができる。
【００２９】
しかも、操作手段３６から制御手段３５への操作信号Ｓは無線でなされるから、操作手段３６の設置箇所（例えば流し台の天板７）に、設置用の穴（例えば配線用の穴等）等を設ける必要も無い。
操作手段３６は、例えば流し台の天板７の上に載置すれば足りる。
【００３０】
図２に示す逆浸透膜浄水装置４０は、水道管１０および温水管１２に設けられた混合栓１３を有する水道設備１に設けることが可能な逆浸透膜浄水装置４０であって、
図１に示した逆浸透膜浄水装置３０と主に異なる点は、
温水管１２に設けられ、温水管１２の温水を混合栓１３へ流すか流さないかを選択的に切換可能な温水用電磁弁３３を設けた点、
制御部３５ｂは、導入用電磁弁３１、浄水用電磁弁３２に加え、温水用電磁弁３３の作動も制御する点、
にある。
【００３１】
この逆浸透膜浄水装置４０は、次のように作動させることができる。
【００３２】
操作手段３６の操作用スイッチ３６ｂを操作し、無線送信部３６ａにて、制御手段３５の無線受信部３５ａに向けて操作信号Ｓを送信し、制御部３５ｂを作動させて、導入用電磁弁３１を「閉」として水道水の流れを逆浸透膜浄水装置本体２０の導入部２１側へ切り換え、浄水用電磁弁３２を「開」として、給水部２３からの浄水を蛇口１１へ流すように切り換え、温水用電磁弁３３を「閉」として、温水管１２の温水を混合栓１３へ流さないように切り換えることで、水道水を逆浸透膜浄水装置本体２０にて浄水し、その浄水を既存の混合栓１３から流すようにすることができる。
【００３３】
一方、操作手段３６の操作用スイッチ３６ｂを操作し、無線送信部３６ａにて、制御手段３５の無線受信部３５ａに向けて操作信号Ｓを送信し、制御部３５ｂを作動させて、導入用電磁弁３１を「開」として混合栓１３側へ切り換え、浄水用電磁弁３２を「閉」として、給水部２３からの浄水を混合栓１３へ流さないように切り換え、温水用電磁弁３３を「開」として、温水管１２の温水を混合栓１３へ流すように切り換えることで、水道水および温水を、逆浸透膜浄水装置本体２０を通すことなく、既存の混合栓１３から流すようにすることができる。
【００３４】
以上のように、この浄化装置４０によれば、操作用スイッチ３６ｂを操作することで、既存の混合栓１３から浄水を流すことができるため、浄水専用の蛇口を設ける必要がなくなる。
すなわち、この浄化装置４０によれば、浄水専用の蛇口を設けなくても、浄水機能を付加することができる。
【００３５】
しかも、操作手段３６から制御手段３５への操作信号Ｓは無線でなされるから、操作手段３６の設置箇所に、設置用の穴等を設ける必要も無い。
【００３６】
逆浸透膜浄水装置本体２０としては、公知の逆浸透膜浄水装置（浄水器を含む）を採用することができる。
図１に示す逆浸透膜浄水装置本体２０は、公知の逆浸透膜浄水装置である。
図１において、２４は、水道管１０と導入部２１とを接続するパイプ、２５は、給水部２３と浄水用電磁弁３２とを接続するパイプである。
【００３７】
各電磁弁３１〜３３はいずれも公知の電磁弁を用いることができる。
【００３８】
操作手段３６は、無線受信部３５ａに向けて操作信号Ｓを送信することができるものであれば、適宜の構成のものを採用することができる。例えば図示のように、操作用スイッチ３６ｂは押しボタン式のスイッチとし、無線送信部３６ａは、スイッチ３６ｂが押される度に操作信号Ｓを発する公知の送信装置で構成することができる。操作手段３６の電源は、電池とすることができる。
【００３９】
制御手段３５は、操作信号Ｓを無線受信部３５ａで受信し、その受信状態に応じて各電磁弁３１〜３３を上記の通り作動させることができる公知の手段を用いることができる。例えば、無線受信部３５ａは操作信号Ｓを受信する度に制御部３５ｂに対して制御信号Ｓ１を送出する公知の受信機で構成し、制御部３５ｂはその制御信号Ｓ１により作動するリレー回路で構成することができる。制御部３５ｂと各電磁弁３１〜３３は、電線３７で接続されている。なお、制御手段３５にはメロディー発生装置３８を接続し、浄水が流れるときに、所定のメロディーが発せられるようにする。
【００４０】
制御部３５ｂは制御信号Ｓ１を受ける度に（スイッチｂが押される度に）、次のように各電磁弁３１〜３３を切り換えて、浄水状態／否浄水状態に切り換える。
【００４１】
＜浄水状態＞
導入用電磁弁３１：「閉」
浄水用電磁弁３２：「開」
温水用電磁弁３３：「閉」（図２のものの場合）
メロディー発生装置３８：ＯＮ
【００４２】
＜否浄水状態（水道水）＞
導入用電磁弁３１：「開」
浄水用電磁弁３２：「閉」
温水用電磁弁３３：「開」（図２のものの場合）
メロディー発生装置３８：ＯＦＦ
【００４３】
なお、導入用電磁弁３１が「閉」のとき、水道水は、水道管１０からパイプ２４を介して（図示のものの場合、分岐管５およびパイプ２４を介して）浄水器本体２０へと流れる。
【００４４】
以上、本考案の実施の形態について説明したが、本考案は上記の実施の形態に限定されるものではなく、本考案の要旨の範囲内において適宜変形実施可能である。
【符号の説明】
【００４５】
１：    水道設備
１０：    水道管
１１：    蛇口
１２：    温水管
１３：    混合栓
２０：    逆浸透膜浄水装置本体
２１：    導入部
２２：    浄化部
２３：    給水部
３１：    導入用電磁弁
３２：    浄水用電磁弁
３３：    温水用電磁弁
３５：    制御手段
３５ａ：  無線受信部
３５ｂ：  制御部
３６：    操作手段
３６ａ：  無線送信部
３６ｂ：  操作用スイッチ
【図１】
0003226932.tif 000003
【図２】
0003226932.tif 000004
【図３】
0003226932.tif 000005
【図４】
0003226932.tif 000006
【図５】
0003226932.tif 000007